(57)【要約】【課題】電球及び電球の受け部等の損壊を回避し、且つ、電球の交換容易な電球着脱用具を提供する。【解決手段】所定長さを有する柄部１２と、この柄部１２の一端１２ａに取り付けられる、電球Ｅ表面に密着可能な開口縁部１４ｂを有するお椀状の凹状体１４とからなる電球着脱用具１０である。凹状体１４の底部１４ａに形成された孔部１４ｄを介して、電球Ｅ表面に密着した凹状体１４内の密閉空間１６から吸引手段によって空気が吸引され、この吸引により生じた負圧により電球Ｅを凹状体１４に吸着保持でき、且つ、容易に交換可能となる。更に、凹状体１４を電球Ｅに対して過剰な力で押付ける必要がないので、過剰な押圧力による電球Ｅの破損が未然に回避される。また、適宜に、柄部１２の外径や長さ等を調節することにより、手の入らない凹所や手の届かない高所に設けられた電球Ｅも容易に交換することが可能となる。【選択図】図１
2012243440.tif 000002
【特許請求の範囲】
【請求項１】
電球の着脱を行うための電球着脱用具において、
所定長さを有する柄部と、
該柄部の一端に取り付けられ、前記電球表面に密着可能な開口縁部を有する有底の凹状体と、
該凹状体の一部に形成された孔部と、
前記開口縁部を前記電球表面に密着させた状態で前記凹状体内の密閉空間から前記孔部を介して空気を吸引する吸引手段と、を有し、
該吸引手段は、前記柄部の他端側に設けられ、前記吸引を操作する操作部を有することを特徴とする電球着脱用具。
【請求項２】
前記凹状体が、弾性を有する素材で形成されることを特徴とする請求項１に記載の電球着脱用具。
【請求項３】
前記吸引手段は、
前記柄部を他端開放のシリンジとして構成すると共に、該柄部の前記他端側からプランジャが挿入される構造を有し、
前記孔部は、前記シリンジ内空間と前記密閉空間を連通する位置に設けられたことを特徴とする請求項１又は２に記載の電球着脱用具。
【請求項４】
前記柄部は、伸縮構造を有し、
前記吸引手段は、
前記柄部の他端側に設けられ、前記柄部とは別体に形成されたシリンジと、該シリンジの基端側から挿入されるプランジャと、を有する吸引部と、
前記孔部と前記シリンジの先端開口の間を連通する管状の連通管と、を備えたことを特徴とする請求項１又は２に記載の電球着脱用具。
【発明の詳細な説明】
【技術分野】
【０００１】
本発明は、電球着脱用具、特に、手の入らない凹所や、手の届かない高所に取り付けられた電球を着脱するための電球着脱用具に関する。
【背景技術】
【０００２】
従来、配電盤の凹所に埋め込まれたシグナルランプ用の電球等、手の入らない凹所に取り付けられた電球の交換には、手で直接電球を掴む代わりに、棒の先にゴムやビニールチューブを取付け、これを電球の球面に押し付けて電球を回転させてソケットから取り外し、又は新しい電球をソケットにねじ込むことで交換している。しかし、棒の先に取付けたゴム等が電球の球面に対して滑って電球が回転しづらく、電球の取り外し及び取付けに非常に時間がかかることとなっていた。
【０００３】
同様の課題が、部屋の天井等の手が届かない高所に取付けられた電球を交換する際にも報告されている。この課題に対して、例えば、電球の球面を掴持可能な凹状の掴み部が棒状体の先に取付けられた電球取り替え用具を用いることが提案されている（例えば、特許文献１）。この電球取り替え用具によると、まず、棒状体の一端側を持ち、他端側にある凹状の掴み部を高所に設けられた電球の球面に押付けて電球を掴持する。そして、この押付ける力を維持したまま電球のソケットに対して電球を回転させて電球を取り外し、さらに新たな電球をその掴み部ごしにソケットに再度押付けて掴持し、押付ける力を維持したまま掴持した電球を回転させてソケットに取付ける。このように、掴み部を電球の球面に押付けた状態を維持することにより、掴み部が電球を掴持可能となり、電球を滑らず回転させてスムーズに交換することが可能となる。
【先行技術文献】
【特許文献】
【０００４】
【特許文献１】実用新案登録第３０８１３３４号
【発明の概要】
【発明が解決しようとする課題】
【０００５】
しかし、特許文献１に記載の電球取り替え用具によると、電球着脱の際、掴み部は電球の球面に強い押付け力により押し付けられた状態で維持されている。従って、この押付け力が過剰となった場合、電球が損壊するおそれがある。更に、電球だけでなく、電球を介して押付け力を受けるソケット、ソケット受け部にそれぞれ順次押付け力が加わり、何れかの部材の脆弱部が破損又は変形するおそれがある。
【０００６】
本発明は、かかる課題に鑑みてなされたものであり、その目的は、電球及び電球の受け部等の損壊を回避し、且つ、電球の交換容易な電球着脱用具を提供するものである。
【課題を解決するための手段】
【０００７】
上記目的を解決するための請求項１に記載の発明は、電球の着脱を行うための電球着脱用具において、所定長さを有する柄部と、該柄部の一端に取り付けられ、前記電球表面に密着可能な開口縁部を有する有底の凹状体と、該凹状体の一部に形成された孔部と、前記開口縁部を前記電球表面に密着させた状態で前記凹状体内の密閉空間から前記孔部を介して空気を吸引する吸引手段と、を有し、該吸引手段は、前記柄部の他端側に設けられ、前記吸引を操作する操作部を有することを特徴とする。
【０００８】
この構成によれば、開口縁部と電球表面の密着により形成された密閉空間内の空気が、凹状体に形成された孔部を介して吸引手段により吸引され、負圧状態となる。そして、この負圧により電球が凹状体に吸着保持されるので、そのまま柄部を回転させることで凹状体が共に回転し、凹状体に保持された電球も回転する。これにより交換すべき電球をソケットに対して容易に取り外し方向へ回転させ、取り外すことができ、同様に、新しい電球を凹状体に保持させ、柄部を電球の取り付け方向へ回転させることで容易に取り付けることができる。
【０００９】
すなわち、凹状体での吸着によって柄部の回転に伴った凹状体の回転の際には、電球表面に対する十分な摩擦力が確保され、凹状体を電球に対して過剰な力で押し付ける必要が無くなり、この過剰な押圧力による電球の破損が回避される。
【００１０】
更に、柄部を細く、且つ、凹状体の横幅を小さくすれば、手の入らない凹所にもこの電球着脱用具を挿入することができるようになり、容易にこの凹所に設けられた電球を交換することができる。また、柄部を長尺にすれば、天井等の手の届かない高所に凹状体を届かせることができるようになり、容易にこの高所に設けられた電球を交換することができる。
【００１１】
請求項２に記載の発明は、請求項１に記載の電球着脱用具において、前記凹状体が、弾性を有する素材で形成されることを特徴とする。
【００１２】
この構成によれば、開口縁部と電球表面の密着により形成された空間内の空気を吸引手段により吸引した際、凹状体の弾性により開口縁部が電球表面の形状に沿うように弾性変形し、開口縁部は、電球球面に対してその密着する面積を広くとることができる。従って、電球表面に対する摩擦力も向上し、電球をキズつけることなくより強力に電球を保持することが可能となる。
【００１３】
請求項３に記載の発明は、請求項１又は２に記載の電球着脱用具において、前記吸引手段は、前記柄部を他端開放のシリンジとして構成すると共に、該柄部の前記他端側からプランジャが挿入される構造を有し、前記孔部は、前記シリンジ内空間と前記密閉空間を連通する位置に設けられたことを特徴とする。
【００１４】
この構成によれば、開口縁部と電球表面の密着により形成された空間内の吸引手段による負圧状態を、シリンジとして構成された柄部内へ挿入されているプランジャを引抜き方向へ引っ張るという簡易な動作で発生させることができ、また、このプランジャを再度挿入方向へ押し戻すという動作により上記負圧状態を解除できる。従って、特別に大掛かりなポンプ機構を用いることなく吸引手段の構成を簡素化することができる。更に、吸引手段が柄部（すなわち、シリンジである）とその内部の部材（すなわち、プランジャである）により構成されているので、電球着脱用具の構成全体がスリム化されており、例えば、幅狭な凹所への使用に対して最適化されている。
【００１５】
請求項４に記載の発明は、請求項１又は２に記載の電球着脱用具において、前記柄部は、伸縮構造を有し、前記吸引手段は、前記柄部の他端側に設けられ、前記柄部とは別体に形成されたシリンジと、該シリンジの基端側から挿入されるプランジャと、を有する吸引部と、前記孔部と前記シリンジの先端開口の間を連通する管状の連通管と、を備えたことを特徴とする。
【００１６】
この構造によれば、柄部を適切な長さに調節することができ、電球の取り付けられた場所、例えば、天井等の高所の高さに応じて柄部を伸縮させて作業することができるので、電球交換の作業性が向上する。更に、使用しない時は柄部を最短の長さにして収納することができるので、収納のために必要なスペースを削減できる。
【発明の効果】
【００１７】
本発明によれば、密閉空間内に生じた負圧により電球を凹状体に吸着保持でき、開口縁部と電球表面の摩擦力を十分に確保することができる。従って、凹状体を電球に対して過剰な力で押し付けることで摩擦力を確保する必要が無いので、この過剰な押圧力による電球の破損が回避され、従って、この電球の破損に起因する怪我等のおそれもなくなり、破損した分の新たな電球を購入するコストも不要となる。
【００１８】
更に、適宜に、柄部の外径や長さ等を調節することにより、手の入らない凹所や手の届かない高所に設けられた電球を容易に交換することが可能となり、様々な場所で幅広く活用することができる。
【図面の簡単な説明】
【００１９】
【図１】本発明の実施の形態に係る電球着脱用具１０を説明するための図である。
【図２】ラッチ機構の構成を説明するための部分拡大図である。
【図３】本発明の他の実施の形態に係る電球着脱用具３０を示す図である。
【発明を実施するための形態】
【００２０】
次に、本発明の実施の形態について図に基いて詳細に説明する。図１は、本発明の実施の形態に係る電球着脱用具１０を説明するための図である。図示のように、電球着脱用具１０は、円筒形状の筒状体（例えば、長さ約３０ｃｍ、外径約０．５〜２．０ｃｍ）として形成された柄部１２の一端１２ａに、お椀状に形成された有底の凹状体１４の底部１４ａが結合する構成を有する。凹状体１４の同図における上側は、略球状の電球Ｅ表面に対して密着可能な略円形（例えば、外径約０．５〜２．０ｃｍ）の開口縁部１４ｂとなっている。電球Ｅと対向する凹状体１４の凹面には、さらに凹状の段差部１４ｃが設けられており、電球Ｅが開口縁部１４ｂと密着したとき、凹状体１４内に密閉空間１６が形成される構成となっている。凹状体１４は、弾性を有する素材（例えば、天然ゴム又は合成ゴム等の高分子素材）で形成されており、開口縁部１４ｂ近傍は薄肉化されている。従って、開口縁部１４ｂが電球Ｅと当接した際、開口縁部１４ｂ近傍が弾性変形し、電球Ｅと密着しやすい構成となっている。更に、凹状体１４の底部１４ａには、凹状体１４を貫通する孔部１４ｄが設けられている。
【００２１】
更に、電球着脱用具１０は密閉空間１６から空気を吸引する吸引手段を有する。この吸引手段は、上記柄部１２を他端開放のシリンジとして構成すると共に、この柄部１２の他端側から、柄部１２の内周面に先端部１８ａが密着した状態で摺接する棒状体として構成されたプランジャ１８が挿入される構造を有する。前記凹状体の孔部１４ｄは、プランジャ１８の先端部１８ａ、柄部１２及び凹状体１４の底部１４ａにより囲まれてできるシリンジ内空間２０と前記凹状体１４内の密閉空間１６を連通する位置に設けられている。更に、吸引手段は、柄部１２の他端側に密閉空間１６からの空気の吸引を操作する操作部を有する。操作部は、柄部１２の他端側の外周面に全周に亘って施された微小な凹凸加工からなる握部１２ｂと、プランジャ１８の基端に設けられた略円盤状の把手１８ｂとを有する。作業者は、握部１２ｂを片手で握り、もう片方の手で把手１８ｂを掴みプランジャ１８を矢印１００方向又はその逆方向へ上下に摺動させることにより、密閉空間１６から空気の吸引を操作する。
【００２２】
また、操作部は、吸引手段による吸引状態を安定化させるためのラッチ機構を有していても良い。ラッチ機構は、基本的に、プランジャ１８の側部に設けられた後述する溝部と、柄部１２の他端に設けられたラッチ部２２とにより構成されている。以下、ラッチ機構について詳細に説明する。図２は、ラッチ機構の構成を説明するための部分拡大図である。図示のように、プランジャ１８の側部１８ｃには、図における上側から下側へ向かって狭窄化されつつ側部１８ｃ内方へ陥入するように形成された溝部である逆止溝部１８ｄが、プランジャ１８の長さ方向に亘って多段式に複数設けられている。また、同じくラッチ機構の一部であるラッチ部２２が、柄部１２の他端から柄部１２の径方向に突出して設けられている。このラッチ部２２は、ケーシング２４の内部に、逆止溝部１８ｄに嵌合する形状の棒状のラッチ２６を有している。ラッチ２６には、ケーシング２４から外方へ突出した操作突起２６ａが設けられている。また、操作突起２６ａは、ケーシング２４内に設けられたラッチスプリング２８によって矢印２００方向へと付勢されている。この付勢力により、ラッチ２６は逆止溝部１８ｄのいずれかに当接した状態で維持される。これらのラッチ機構により、プランジャ１８の上動が制止され、吸引手段による吸引状態が安定的に維持される。
【００２３】
次に、本発明の実施の形態に係る電球着脱装置１０を用いた電球Ｅの着脱操作について説明する。電球Ｅは、例えば、配電盤の凹所、すなわち、手が入らない凹所に埋め込まれたシグナルランプ用の電球である。このような幅狭な凹所に、まず、電球着脱装置１０を凹状体１４側から挿入し、プランジャ１８の先端部１８ａを凹状体１４の底部１４ａに当接するまでプランジャ１８を柄部１２内に挿入した状態で、交換すべき電球Ｅ表面に開口縁部１４ｂを密着させる。このとき、開口縁部１４ｂを電球Ｅ表面側に少し押して開口縁部１４ｂの近傍を弾性変形させ、開口縁部１４ｂと電球Ｅ表面との密着面積を広くとることが好ましい。これにより、開口縁部１４ｂと電球Ｅとの摩擦力を高めることができるからである。その後、握部１２ｂを片手で握り、もう片方の手で把手１８ｂを掴み、把手１８ｂを矢印１００方向へ引っ張る操作を行う。これにより、プランジャ１８が矢印１００方向へ摺動してシリンジ内空間２０の体積が増加し、これに伴いシリンンジ内空間２０と連通する密閉空間１６の空気が吸引されて密閉空間１６内に負圧が生じ、電球Ｅが凹状体１４に吸着保持される。この保持状態で逆止溝部１８ｄにラッチ２６を当接させ、プランジャ１８の上動を制止することにより、凹状体１４に対する電球Ｅの吸着保持状態が安定的に維持される。この状態で、電球Ｅをソケット（図示せず）から取り外す方向に柄部１２を回転させることで凹状体１４に保持した電球Ｅを回転させ、容易に電球Ｅをソケットから取り外すことができる。電球Ｅをソケットから取り外した後は、操作突起２６ａをラッチスプリング２８の付勢力に抗して図２における矢印２００の反対方向へ押し下げることによりラッチ２６と逆止溝部１８ｄの係合状態を解除する。これにより、プランジャ１８は図１における矢印１００の反対方向へ摺動可能となり、密閉空間１６の減圧状態を解除することができるので、電球Ｅを凹状体１４から容易に取り外すことができる。
【００２４】
新しい電球Ｅの取り付け動作は、上述の電球Ｅの取り外し動作とは逆の流れで行うことができる。すなわち、凹状体１４に対して新しい電球Ｅを吸引手段の働きにより吸着保持させ、保持した電球Ｅをソケットに当接させ、そのままソケットに対して電球Ｅの取り付け方向に柄部１２を回転させて凹状体１４に保持した電球Ｅを回転させることによりソケットに電球Ｅを取り付けることができる。その後、取り付けた電球Ｅと凹状体１４との吸着状態を解除し、電球Ｅから凹状体１４を離間させる。
【００２５】
従って、本発明に係る電球着脱用具１０によると、凹状体１４と電球Ｅの密着により形成された密閉空間１６内に生じる負圧により電球Ｅを力強く吸着保持することができ、かつ、容易に交換可能となる。そして、凹状体１４を電球Ｅに対して過剰な力で押し付ける必要が無いので、この過剰な押圧力による電球Ｅの破損が回避される。更に、電球着脱用具１０が、吸引手段を柄部１２とその内部の部材（プランジャ１８）とにより構成するというスリムな構成を有し、且つ、柄部１２及び凹状体１４は上述の通りの外径を有するので、手が入らない幅狭な凹所に設けられた電球、例えば、配電盤の凹所に埋め込まれたシグナルランプ用の電球も容易に交換可能である。
【００２６】
また、本実施の形態において、吸引手段は、柄部１２を他端開放のシリンジとして構成し、この柄部１２の他端側からプランジャ１８が挿入される構造を有しているが、これに限定されるものではなく、種々の変形の適用が可能である。
【００２７】
図３は、本発明の他の実施の形態に係る電球着脱用具３０を示す図である。同図において上述の図１に示した実施例と同様の要素には、同一の符号を付しその説明を省略する。
【００２８】
図示のように、柄部１２は、その一端１２ａが凹状体１４の底部１４ａに取り付けられる中空の他端開放の円筒形状に形成された第一柄部１２−１と、第一柄部１２−１を内挿可能な長さと外径を有する両端開放の円筒形状に形成された第二柄部１２−２とによりなる入れ子構造となっている。第一柄部１２−１と第二柄部１２−２は、例えば、第二柄部の図における上側端部に設けられた止めネジ３２により固定され、止めネジ３２が第一柄部１２−１と当接する位置を、矢印３００方向又は矢印３００と逆方向に移動させて調節することにより柄部１２の長さが調節可能である。第一柄部１２−１と第二柄部１２−２の長さは、例えば、それぞれ約１ｍ５０ｃｍである。これにより、柄部の長さは約１ｍ５０ｃｍ〜３ｍの範囲で調節可能である。柄部１２は、例えば、３以上の柄部１２部材による入れ子構造にしても良い。これにより、さらに幅広い長さの調節が可能となる。
【００２９】
また、本実施の形態において、吸引手段は、柄部１２とは独立して別体として形成されている。すなわち、吸引手段は、柄部１２−２の同図における下方側で柄部１２−２に対して併設される中空円筒形状のシリンジ３４と、このシリンジ３４内に、シリンジ３４の基端３４ａから矢印３００方向に挿入されるプランジャ１８と、を有する吸引部を備えている。更に、吸引手段は、シリンジ３４の先端の開口部である先端開口３４ｂと凹状体１４の孔部１４ｄの間を連通する管状の連通管３６を有する。この連通管３６を介し、シリンジ内空間２０は、電球Ｅ表面に密着した凹状体１４内の密閉空間１６と連通している。連通管３６は、一定の耐圧強度を有する素材により形成されている。
【００３０】
この構成によると、柄部１２が上述の伸縮構造及び長さを有するので、手が届かない高所に設けられた電球Ｅ、例えば、部屋の天井に設置された電球Ｅに対しても、柄部１２を伸長させることにより凹状体１４を電球Ｅに密着させることができると共に、その高所の高さに応じて柄部１２を伸縮させて作業することができ、電球Ｅ交換の作業性も向上する。更に、この電球着脱用具３０を使用しないときは柄部１２を縮ませることにより、余計な場所を取らず収納することができる。
【００３１】
なお、本発明は上記実施の形態に限定されることはなく、発明の趣旨を逸脱しない範囲で種々の変形が可能である。
【００３２】
例えば、上記他の実施の形態における柄部１２の伸縮構造は、上記の構造以外に従来公知のどのような伸縮構造を用いても良い。例えば、マジックハンドのようなラチス構造、蛇腹構造等を用いてもよい。
【符号の説明】
【００３３】
１０、３０  電球着脱用具
１２  柄部（吸引手段）
１２−１、１２−２  柄部（伸縮構造）
１２ｂ  握部（操作部）
１４  凹状体
１４ｂ  開口縁部
１４ｄ  孔部
１６  密閉空間
１８  プランジャ（吸引手段又は吸引部）
１８ｂ  把手（操作部）
２０  シリンジ内空間
３４  シリンジ（吸引部）
３６  連通管
【図１】
2012243440.tif 000003
【図２】
2012243440.tif 000004
【図３】
2012243440.tif 000005